(57)【要約】【課題】ＴＶメタデータから統計処理によりリアルタイムにＴＶ番組放送を分析して、実際どの情報によって商品の購買につながったかどうかを予測する。【解決手段】ＰＯＳデータ２および／またはＴＶメタデータ５、をサービス提供サーバ３のデータベース１５に通信回線経由でリアルタイムに送られるＰＯＳデータ送信手段および／またはＴＶメタデータ送信手段と、商品のＰＯＳデータが増加した場合、サービス提供サーバの情報システムにより、季節要因、視聴率、演者、番組タイトル、放送局、放送時間帯、紹介時間の長さを含む各指標データ６に基づく統計処理によりＴＶメタデータから商品の番組内放送を割り出し、店頭で売れた商品がＴＶ番組にどう影響されたかを分析する情報分析Ｃを備える。【選択図】図１
2022002066.tif 000002
【特許請求の範囲】
【請求項１】
ＴＶ番組の放送を見たユーザが店舗でカードもしくは携帯端末で買った商品のＰＯＳデータが店舗側端末のデータ送信部からネットワークを介して、サービス提供サーバのネットワーク通信制御部に通信回線経由でリアルタイムに送られるＰＯＳデータ送信手段と、
前記ＴＶ番組の放送に出された前記商品に関する情報が随時更新されて蓄積されたＴＶメタデータが前記サービス提供サーバのデータベースに通信回線経由でリアルタイムに送られるＴＶメタデータ送信手段と、
前記商品の前記ＰＯＳデータが増加した場合、前記サービス提供サーバにより、季節要因、視聴率、演者、番組タイトル、放送局、放送時間帯、紹介時間の長さの少なくとも一つを含む各指標データに基づく統計処理により、前記サービス提供サーバの操作部及び／もしくは表示部で解析を行い、前記ＴＶメタデータから前記商品の番組内放送を割り出し、店頭で売れた前記商品が前記ＴＶ番組にどう影響されたかを分析する情報分析手段と、
を備えたことを特徴とするＴＶメタデータ活用システム。
【請求項２】
前記情報分析手段は、前記サービス提供サーバと前記商品のツイート情報とを連動させることで、店頭で売れた前記商品が前記ＴＶ番組にどう影響されたかを分析する請求項１に記載のＴＶメタデータ活用システム。
【発明の詳細な説明】
【技術分野】
【０００１】
本発明は、ＰＯＳデータとＴＶメタデータとから統計処理によりリアルタイムにＣＭ効果を分析するためのＴＶメタデータ活用システムに関する。
【背景技術】
【０００２】
従来、ＴＶ番組の放送内容をテキストデータベース化している。すなわち、ＴＶ番組の情報、ＣＭに出された商品・観光地・店舗・音楽・タレント等に関する情報を常時データベースに記録し、ＴＶメタデータとして保存している。
【０００３】
これによって、ＴＶメタデータから発信される膨大な情報、ＣＭ情報は情報ソースと一体となって二次調査を行い、ＴＶで紹介された商品・観光地・店舗・音楽・タレント等の情報を各二次メタデータとしてインターネット・モバイルサイトすなわち通販サイト・旅行サイト・グルメ情報サイト・音楽サイト等のネットサービスに提供し、利用者はこれらサイトを即座に検索できるものとなっている。
【先行技術文献】
【特許文献】
【０００４】
【特許文献１】特になし
【発明の概要】
【発明が解決しようとする課題】
【０００５】
しかしながら、従来におけるＴＶ番組の情報、ＣＭに出された商品が、実際どの情報によって購買につながったかどうかは分からなかった。
【０００６】
そこで、本発明は、叙上のような従来存した諸事情に鑑み案出されたもので、ＰＯＳデータとＴＶメタデータとから統計処理によりリアルタイムにＴＶ番組放送を分析して、ＴＶメタデータからの実際どの情報によって商品の購買につながったかどうかを予測（判別）するＴＶメタデータ活用システムを提供することを目的とする。
【課題を解決するための手段】
【０００７】
上述した課題を解決するために、本発明にあっては、ＴＶ番組放送を見たユーザが店舗でカードもしくは携帯端末で買った商品のＰＯＳデータが店舗側端末のデータ送信部からネットワークを介して、サービス提供サーバのネットワーク通信制御部に通信回線経由でリアルタイムに送られるＰＯＳデータ送信手段と、ＴＶ番組放送に出された前記商品に関する情報を随時更新して蓄積したＴＶメタデータがサービス提供サーバのデータベースに通信回線経由でリアルタイムに送られるＴＶメタデータ送信手段と、前記商品の前記ＰＯＳデータが増加した場合、前記サービス提供サーバにより、季節要因、視聴率、演者、番組タイトル、放送局、放送時間帯、紹介時間の長さの少なくとも一つを含む各指標データに基づく統計処理により、前記サービス提供サーバの操作部、表示部で解析を行い、前記ＴＶメタデータから前記商品の番組内放送を割り出し、店頭で売れた前記商品がＴＶ番組にどう影響されたかを分析する情報分析手段とを備えたことを特徴とする。
【０００８】
情報分析手段は、前記サービス提供サーバと前記商品のツイート情報とを連動させることで、店頭で売れた商品がＴＶ番組にどう影響されたかを分析する。
【発明の効果】
【０００９】
本発明によれば、ＰＯＳデータとＴＶメタデータとから統計処理によりリアルタイムにＴＶ番組放送を分析して、ＴＶメタデータからの実際どの情報によって商品の購買につながったかどうかを予測（判別）するＴＶメタデータ活用システムを提供することができる。
【図面の簡単な説明】
【００１０】
【図１】本発明を実施するための一形態を示すＴＶメタデータ活用システムを説明する図である。
【図２】（ａ）および（ｂ）は、コンビーフハッシュやココナッツオイルの食材のＴＶ番組での照会、放送後のツイート数、売り上げの増加を説明する分析結果を示す図である。
【図３】サービス提供サーバ、店舗側端末、放送局側端末のネットワークを介した通信例を示すブロック図である。
【発明を実施するための形態】
【００１１】
以下、図面を参照して本発明の実施の一形態に係るＴＶメタデータ活用システムを詳細に説明する。
【００１２】
本実施形態は、図１、図３に示すように、ユーザＰがＴＶ番組のＣＭ放送Ｑにおける、演者、演奏された楽曲、画面に映し出された商品Ｒ、及び商品Ｒの特徴等に興味を抱く。例えばユーザＰは、自分の好みの食品や料理を見出すと、それを購入し、あるいは食してみたいと思うことがある。
【００１３】
例えばＣＭ放送Ｑで商品Ｒたるサバ缶は中性脂肪を下げるという宣伝を見て、スーパー等の店舗Ｓに買い物に出かけた際にこのサバ缶を買う。ユーザＰが店舗Ｓでカード１でサバ缶を買った場合、店舗側端末１０のスキャナー１１でＰＯＳデータが読み取られ、ＰＯＳデータ送信手段Ａにより、この商品ＲのＰＯＳデータ２が、店舗側端末１０のデータ送信部１２からネットワークＮＷを介して、サービス提供サーバ３のネットワーク通信制御部１３に通信回線経由でリアルタイムに送られる。なお、カード１に替わって、携帯端末（典型的にはスマートフォン）でも良い。
【００１４】
サービス提供サーバ３の情報システムにおいて、ＰＯＳデータは、ＣＰＵ１４の制御により、データベース１５に送られて格納される。サービス提供サーバ３には、操作部１６や表示部１７が設けられている。
【００１５】
一方、ＴＶ番組のＣＭ放送Ｑに出された各商品Ｒに関する情報、例えばある商品Ｒが何年何月何日に特定の演者（タレント）によって紹介されましたという情報の、１日４０００件以上を随時更新して蓄積したＴＶメタデータ５が、放送局側端末２０のデータ送信部２１からＴＶメタデータ送信手段Ｂにより、ネットワークＮＷを介してサービス提供サーバ３のネットワーク通信制御部１３へ通信回線経由でリアルタイムに送られる。そして、ＣＰＵ１４の制御により、データベース１５に格納される。
【００１６】
情報分析手段Ｃは、商品ＲのＰＯＳデータ２が急に増加した場合、サービス提供サーバ３により、季節要因、視聴率、演者、番組タイトル、放送局、放送時間帯、紹介時間の長さを含む各指標データ６に基づく統計処理により、操作部１６、表示部１７で解析を行い、情報システムのデータベース１５に格納されているＴＶメタデータ５から前記商品ＲのＣＭ放送Ｑを割り出し、店頭Ｓで売れた商品ＲがＴＶ番組にどう影響されたかを分析する。
【００１７】
例えば、季節要因が夏だから、視聴率が高いから、特定の演者の信頼性（影響力）が高いから、特定の番組タイトルだから、ＮＨＫ放送局だから、時間帯が夕方の買い物時間であったから、ＴＶ番組で紹介されたから、紹介時間の長さが５分だから、等の理由でリアルタイムに自動的に吸い上げながら、なぜその商品が売れたかを数値化して解析する。
【００１８】
このように、前日の売り上げのある品目に対して今週は増えているトリガーが何かということからデータを紐づける。そしてＰＯＳデータ２との連携によって、リアルタイムで自動的に吸い上げることで、なぜその商品Ｒが売れるかの予兆まででき、店舗Ｓに商品Ｒの入荷を促すこともできる。
【００１９】
分析結果としては、図２（ａ）に示すように、○○県の某商品が番組で紹介され、某商品のツイート数が放送後から急上昇し、ネット上で売上が増加した。
【００２０】
また、図２（ｂ）に示すように、某商品が番組の最新ダイエット特集で紹介され、放送後に某商品のツイート数が急上昇し、ネット上で売上の１位を獲得した。
【００２１】
このように情報システムとツイート情報とを連動させることにより、ＴＶメタデータからの実際どの情報によって商品の購買につながったかどうかを予測（判別）することができる。
【符号の説明】
【００２２】
Ａ              ＰＯＳデータ送信手段
Ｂ              ＴＶメタデータ送信手段
Ｃ              情報分析手段
Ｐ              ユーザ
Ｑ              ＣＭ放送
Ｓ              店舗
Ｒ              商品
ＮＷ            ネットワーク
１              カード
２              ＰＯＳデータ
３              サービス提供サーバ
５              ＴＶメタデータ
６              各指標データ
１０            店舗側端末
１１            スキャナー
１２            データ送信部
１３            ネットワーク通信制御部
１４            ＣＰＵ
１５            情報システムのデータベース
１６            操作部
１７            表示部
２０            放送局側端末
２１            データ送信部
【図１】
2022002066.tif 000003
【図２】
2022002066.tif 000004
【図３】
2022002066.tif 000005